(57)【要約】      （修正有）【課題】公園・広場等の定点活動のみならず、道路等の場所移動を伴う活動に対応する身体障害者の野外活動支援装置を提供する。【解決手段】貨物自動車に搭載したままに配置した状態で、あるいは、地上に積降して配置した状態で、身体障害者の利用に供するトイレ施設２及び休憩・救急医療施設３を内蔵するコンテナー１からなり、また、バイオ処理型の便槽をトイレ施設２の下部に備置したコンテナー１、折畳式の梯子２４又は折畳式の全自動型の昇降機１７を設置したコンテナー１からなる。【選択図】図１
2013151274.tif 000002
【特許請求の範囲】
【請求項１】
貨物自動車の荷台に積載したままに配置した状態で、あるいは、地上に積降して配置した状態で、身体障害者の利用に供するトイレ施設及び休憩・救急医療施設を内蔵するコンテナーからなる、身体障害者の野外活動支援装置。
【請求項２】
ヒーターの加熱及びスクリュウの回転をもって、大鋸屑に吸収された大小便を醗酵させ、バイオ処理する便槽をトイレ施設の下部に備置したコンテナーからなる、請求項１の身体障害者の野外活動支援装置。
【請求項３】
貨物自動車の荷台に積載したまま配置した状態で、身体障害者の乗降をするために、折りたたみ式の梯子、または、折畳式の全自動型の昇降機を備置したコンテナーからなる、請求項１の身体障害者の野外活動支援装置。
【請求項４】
内外灯を灯しまたエアコンを運転するために、太陽光を反射板に集めて発電するソーラーパネルを屋根に設置したコンテナーからなる、請求項１の身体障害者の野外活動支援装置。
【発明の詳細な説明】
【技術分野】
【０００１】  本発明は、身体障害者の野外活動を支援するために、貨物自動車に積載したまま配置した状態で、あるいは、地上に積降して配置した状態で、身体障害者の利用できるトイレ施設及び休憩・医療施設を内蔵したコンテナーに関する。
【背景技術】
【０００２】  身体障害者の文化的・社会的・政治的な活動に参加する機会を支援するためには、休息や医療のみならず、用便の問題にも配慮する必要がある。これは、屋内施設はもちろん、野外活動でも起こる問題である。【０００３】  用便の問題は、休憩や医療の問題に勝るとも劣らない。野外活動の中でも、道路等における場所移動を伴う活動は、公園・広場等の定点活動に比べて、用便の問題を不可欠とする。それは、仮設のトイレの設置や移動を困難とするからである。【０００４】  この問題を解決するためには、従来、いろいろな方策がとられている。一つは、身体障害者を自動車で公衆トイレまで送迎することであり、他は、仮設トイレやポータブルトイレを貨物自動車に積載することである。【０００５】  ところが、前者は、この距離及び時間に応じて、野外活動を中断となり、また、事故発生の危険も生ずる。後者は、衛生上の理由から法令の制約を受けているし、また、用便に際し、自動車への乗降と周囲の覆い等の状況を考慮する必要が起こる。【０００６】  「廃棄物処理及び清掃に関する法律施行令」（昭和４６年９月２３日政令第三）第３条は、一般廃棄物の運搬について、「運搬車、運搬容器及び運搬用パイプラインは、一般廃棄物が飛散し、及び流出し、並びに悪臭が漏れるおそれのないものであること」を求めている。【０００７】  そこで、出願人は、貨物自動車の荷台にトイレ施設及び休憩・救急医療施設を内蔵したコンテナーを設置し、野外活動に随伴し、また、衛生法規の制約を遵守した、身体障害者の野外活動支援車を考案しかつ実用新案登録を受けている。【０００８】  この考案は、一方で、確かに、従来の問題を解決するが、他方で、課題を残していた。それは、トイレ施設及び休憩・救急医療施設を内蔵したコンテナーを貨物自動車の荷台に固定したからである。【０００９】  これによると、野外活動支援車の利用という限られた態様となり、また、貨物自動車とコンテナーを一体として製造するので、製造コストを高める。そうすると、これは、一般的に普及しない結果となる。
【先行技術文献】
【技術文献】
【００１０】
【特許文献１】  登録番号  実用新案第３１５６２７２号  登録日  平成２１年１２月２日
【発明の概要】
【発明が解決しようとする課題】
【００１１】  本発明が解決しようする問題点は、次の通りである。【００１２】  先ず、身体障害者の野外活動に参加する機会を支援するために、定点活動でも、場所移動を伴う活動でも、休憩・救急医療施設及びトイレ施設を提供し、健康や用便の問題に配慮する必要がある。【００１３】  次に、身体障害者の利用に供するためには、トイレ施設を貨物自動者に搭載しかつ運搬するにあたり、衛生上の理由に基づく法規の制約に従い、また、自動車の乗降や周囲の覆い等の状況を考慮することが必要である。【００１４】  更に、身体障害者の利用に供するトイレ施設及び休憩・救急医療施設を内臓するコンテナーを貨物自動車に積載したままの状態だけではなく、これを地上に積降して配置した状態にすることも必要である。【００１５】  更に、休憩・医療施設及びトイレ施設を内蔵するコンテナーを貨物自動車に積載する状態で固定することから生ずる製造コスト高を抑え、身体障害者の野外活動に一般的に利用されることが必要である。【００１６】  最後に、貨物自動車に積載したままに配置した状態で、コンテナーに内蔵するトイレ施設及び休憩・救急医療施設を身体障害者、特に車椅子の者の利用に供するためには、梯子だけではなく、昇降機が必要となる。
【課題を解決するための手段】
【００１７】  本発明が解決する手段は、次の通りである。【００１８】  先ず、貨物自動車（１９）の荷台に積載したままに配置した状態で、あるいは、地上に積降して配置した状態で、身体障害者の利用に供するトイレ施設（２）及び休憩・救急医療施設（３）を内蔵したコンテナー（１）からなる、身体障害者の野外活動支援装置である。【００１９】  次に、ヒーターの加熱及びスクリュウの回転をもって、大鋸屑に吸収された大小便を醗酵させる、バイオ処理型の便槽（５）をトイレ施設（２）の下部に備置したコンテナー（１）からなる、身体障害者の野外活動支援装置である。【００２０】  更に、貨物自動車（１９）の荷台にコンテナー（１）を搭載したままに配置した状態では、身体障害者の乗降のために、折畳式の梯子（２４）、又は、車椅子の者のために、折畳式の全自動型の昇降機（１７）を備置したコンテナー（１）からなる、身体障害者の野外支援装置である。【００２１】  最後に、内外灯（２１）（２２）及びエアコン（８）の電力を供給するために、太陽光を反射板に集めて発電するソーラーパネル（２３）を屋根に設置したコンテナー（１）からなる、身体障害者の野外活動支援装置である。
【発明の効果】
【００２２】  本発明の効果は、次の通りである。【００２３】  先ず、身体障害者は、野外活動に参加するにあたり、コンテナー（１）を貨物自動車（１９）に積載し、あるいは、地上積降して配置した状態で、トイレ施設（２）及び休憩・救急医療施設（３）を利用できるので、健康及び用便の問題を解決することになる。【００２４】  次に、身体障害者は、定点の野外活動に、あるいは、場所移動を伴う野外活動に参加するにあたり、何時でも、どこでも、用便の問題を心配し、また、疲労や体調の心配をすることがなくなる。【００２５】  更に、貨物自動種（１９）とコンテナー（１）は、それぞれ別個の製品であり、従って、コンテナ（１）を製造すれば、どの貨物自動車（１９）にも積載しかつ積降しもできるので、コンテナー（１）の量産によって製造コストを落とすことができる。【００２６】  更に、身体障害者の中でも、特に、椅子の身体障害者は、コンテナー（１）に備置されたカーリフト（１７）を用いれば、貨物自動車（１９）の荷台に容易に乗降できるので、トイレ施設（２）及び休憩・救急医療施設（３）を利用できる。【００２７】  最後に、大小便をバイオ処理する便槽（５）をコンテナー（１）に設置するので、臭気がほとんど周囲に漏れないし、また、大小便を農業用肥料とするので、環境衛生の向上と資源の活用に貢献することになる。
【図面の簡単な説明】
【００２８】
【図１】  図１は、本発明のコンテナーの内部施設を示す横断面図である。
【図２】  図２は、本発明のコンテナーを貨物自動車に搭載したままの配置状態を示す側面図である。
【図３】  図３は、本発明のコンテナーを地上に積降した配置状態を示す側面図である。
【発明を実施するための形態】
本発明を実施するための形態は、次の通りである。
【００２９】  本発明は、身体障害者の利用に供する休憩・救急医療施設（３）及びトイレ施設（２）を内蔵したコンテナー（１）から構成されている、身体障害者の野外活動を支援する装置である。
【００３０】  この装置は、コンテナー（１）である。これは、図１の示す通り、身体障害者の利用に供するトイレ施設（２）及び休憩・救急医療施設（３）を内蔵し、また、図２の示す通り、貨物自動車（１９）の荷台に積載し、あるいは、図３の示す通り、地上に降ろして配置できるものである。
【００３１】  コンテナー（１）は、大別すると、内部施設と構造体から構成されている。前者は、トイレ施設（２）及び休憩・救急施設（３）であり、後者は、これらを覆う箱型の容器である。これは、貨物自動車（１９）の荷台に積載できる大きさである。
【００３２】  先ず、コンテナー（１）の構造体をとりあげる。これを構成するのは、本体となる枠組、また、これに形成された屋根・壁・床である。
【００３３】  枠組は、スチール製材をもって、基礎柱を縦横に連結し、これに支柱を立て、また、この支柱に梁を架して構築する。屋根や壁は、断熱材を内包したパネル板を張り、また、床は、滑り止め処理を施したアルミ板を水平に張って、バリアフリーとする。
【００３４】  屋根には、図２及び図３の示す通り、太陽光を反射板に集めて発電するソーラーパネル（２３）を設置する。これによって発電した電力を供給して、室外灯（２２）や室内灯（２１）を灯し、また、エアコン（８）を運転する。
【００３５】  次に、コンテナー（１）の内部施設である。これは、図１の示す通り、前室と後室を主とし、物入室（１８）を付置したものである。前室と後室は、アコーディオンカーテン（１３）を設置して区別する。
【００３６】  一つは、前室である。これは、図１の示す通り、トイレ施設（２）及び予備施設からなる。トイレ施設（２）は、図２の示す通り、上部と下部に区分する。上部には、洋式便器（４）を設置し、また、両側に介護用の手すり（７）、背後にエアコン（８）、天井には室内灯（２１）を配置する。
【００３７】  下部には、図２の示す通り、ステンレス製の便槽（５）を設置する。これは、ヒーターの加熱及びスクリュウの回転をもって、大鋸屑に吸収された大小便を発酵させ、また、これから発生するガスを排気筒（６）より排出する。
【００３８】  便槽（５）は、バイオ処理されている結果、便槽から臭気が周囲に漏れることはほとんどないし、また、排出口から大鋸屑を取出して、これを農業用の堆肥として利用できる。
【００３９】  予備施設は、図１の示す通り、手洗器（９）と鏡（１０）を内壁に装置し、トイレ施設（２）を補充し、また、ＡＥＤを始め、救急医療セット（１１）を備置し、かつ、折畳式のイスやベッド（１２）を格納する場所である。
【００４０】  二つは、後室であり、図１の示す通り、トイレ施設（２）を利用する通路でもあり、また、折畳式のイスやベット（１２）を使用して休憩し、あるいは、ＡＥＤを始め救急医療セット（１１）をもって処置する場所でもある。
【００４１】  図１の示す通り、後室の左側面には、スライド式の引戸を付けた掃出窓（１４）を開け、また、右側面には、小窓（１５）を開け、明り取りとする。背面には、シャッターの開閉をもって、身体障害者が出入りする開口部（１６）を設置する。
【００４２】  後室には、図１の示す通り、貨物自動車（１９）の荷台にコンテナー（１）を搭載した状態において、身体障害者が乗降するために用いる、折畳式の梯子（２４）、また、車椅子の身体障害者の乗降を容易にするために用いる、折畳式かつ全自動型の昇降機（１７）を壁面に寄せて備置する。
【００４３】  三つは、物入室（１８）であり、図２及び図３の示す通り、外側から扉を開閉し、三段の棚から物を出し入れする。下段には、バッテリーやチャージ機、中段には、発電機や配電盤、上段には、工具類を納める。
【実施例】
【００４４】  本発明の実施例は、次の通りである。【００４５】  コンテナー（１）は、図２の示す通り、貨物自動車（１９）の荷台に搭載されたままの状態で、あるいは、図３の示す通り、地上に降ろして配置された状態で、身体障害者のトイレ施設（２）及び休憩・救急医療施設（３）の利用に供される。【００４６】  前者は、コンテナー（１）を貨物自動車（１９）に搭載して、身体障害者の道路等における場所移動を伴う野外活動に随行するためであり、後者は、コンテナー（１）を地上に降ろして配置し、公園・広場等の定点における野外活動に対処するためである。【００４７】  先ず、図２の示す通り、コンテナー（１）を貨物自動車（１９）に積載したままの前者の状態では、貨物自動車と地上との落差があるので、背面のシャッターを開けて、また、折畳式の梯子（２４）を延ばして立て掛けることになる。【００４８】  そうすると、身体障害者は、梯子（２４）を登って、シャッターの開いた背面の開口部（１６）を通り、後室を出入りして、トイレ施設（２）を利用し、または、後室を休憩・救急医療施設（３）として利用することができる。【００４９】  ところが、車椅子を用いる身体障害者は、梯子（２４）を登ることができないので、折畳式の昇降機（１７）を延ばし、かつ、身体障害者の車椅子を昇降機（１７）に乗せて昇降し、貨物自動車（１９）に入り、トイレ施設（２）又は休憩・救急医療施設（３）を利用することができる。【００５０】  次に、図３の示す通り、コンテナー（１）を地上に降ろして配置した状態では、身体障害者は、地上との落差がないので、掃出窓（１４）の引戸をスライドして開けて、後室を通路として出入りすることができる。【００５１】  貨物自動車（１９）からコンテナー（１）を地上に降ろすとき、コンテナー（１）と荷台の止め具（２０）を解放し、かつ、クレーンをもって吊り上げて降ろす。この用途が終わると、クレーンをもって吊り上げ、貨物自動車（１９）の荷台に固定する。
【符号の説明】
【００５２】    １    コンテナー
２    トイレ施設
３    休憩・救急医療施設
４    便器
５    便槽
６    排気筒
７    手すり
８    エアコン
９    手洗器
１０    鏡
１１    医療セット
１２    ベッド・イス
１３    カーテン
１４    掃出窓
１５    小窓
１６    開口部
１７    昇降機
１８    物入室
１９    貨物自動車
２０    止め具
２１    室内灯
２２    室外灯
２３    ソーラーパネル
２４    梯子
【図１】
2013151274.tif 000003
【図２】
2013151274.tif 000004
【図３】
2013151274.tif 000005